(57)【要約】【課題】操作ハンドルとしてピアノハンドルを用いたスイッチにおいて、良好な操作性を維持しつつ、直感的な操作を可能として使い勝手を高める。【解決手段】スイッチ１は、ユーザによって操作される操作ハンドル１１と、負荷の動作状態を表示するＬＥＤ４，７と、第１導光体４１を備える。操作ハンドル１１は、ＬＥＤ４，７の側でスイッチ本体１０によって回動自在に支持され、ＬＥＤ４，７の出力光は、第１導光体４１によって操作ハンドル１１においてＬＥＤ４，７から離れた側に導かれ、操作部１１ｃに設けられた表示部１１ａから出射される。【選択図】図３
2014071984.tif 000002
【特許請求の範囲】
【請求項１】
ユーザによって操作される操作ハンドルと、
前記操作ハンドルの変位に応じて負荷への給電を制御する開閉部と、
負荷の動作状態を表示する表示用光源と、
前記開閉部及び表示用光源を収容するスイッチ本体を備え、
前記操作ハンドルは、表示用光源の側で前記スイッチ本体によって回動自在に支持され、
前記表示用光源の出力光は、前記操作ハンドルにおいて前記表示用光源から離れた操作部の側で出射されることを特徴とするスイッチ。
【請求項２】
前記操作ハンドルは、前記表示用光源の出力光を操作部の側に導く第１導光体を有することを特徴とする請求項１に記載のスイッチ。
【請求項３】
スイッチ本体は、前記表示用光源の出力光を前記第１導光体に導く第２導光体を有することを特徴とする請求項２に記載のスイッチ。
【請求項４】
前記第１導光体は、前記表示用光源の出力光が入射される第１入射部と、前記第１入射部から入射された出力光の向きを前記操作部の方向に変える第１反射部と、前記第１反射部によって反射された出力光を前記操作部の側まで導く第１導光部と、前記第１導光部によって導かれた出力光を出射する第１出射部を有し、
前記第１導光部における前記スイッチの奥行き方向の厚み寸法は、前記第１入射部から前記第１反射部に至る部分の前記スイッチの奥行き方向の厚み寸法よりも小さいことを特徴とする請求項２に記載のスイッチ。
【請求項５】
前記表示用光源は、複数種類設けられていることを特徴とする請求項１乃至請求項４のいずれか一項に記載のスイッチ。
【請求項６】
前記複数種類の表示用光源は、底面の高さを揃えて実装され、前記第２導光体における前記表示用光源の出力光が入射される第２入射部は、各表示用光源の先端に対応して段違いに形成されていることを特徴とする請求項５に記載のスイッチ。
【請求項７】
前記第１反射部は、放物面であることを特徴とする請求項５又は請求項６に記載のスイッチ。
【請求項８】
前記第１反射部は、楕円面であることを特徴とする請求項５又は請求項６に記載のスイッチ。
【請求項９】
前記第１反射部は、前記複数種類の表示用光源のうち少なくともいずれかの光源の光軸上に配置されていることを特徴とする請求項４に従属する請求項５に記載のスイッチ。
【請求項１０】
前記操作ハンドルは、前記出力光を所望の範囲に配光して出射する配光体をさらに有することを特徴とする請求項１乃至請求項３のいずれか一項に記載のスイッチ。
【請求項１１】
前記配光体の表面には、プリズムが形成されていることを特徴とする請求項１０に記載のスイッチ。
【請求項１２】
前記配光体が、光拡散材を含有する透孔材料によって成ることを特徴とする請求項１０又は請求項１１に記載のスイッチ。
【発明の詳細な説明】
【技術分野】
【０００１】
本発明は、照明装置の点灯／消灯の操作に用いて好適なスイッチに関する。
【背景技術】
【０００２】
従来から、照明装置等の負荷の動作状態を表示する表示用光源を備え、照明装置の点灯／消灯の操作に用いられるスイッチが知られている。例えば、特許文献１には、ピアノハンドル式スイッチにおいて、ＬＥＤ（発光ダイオード）を表示用光源として用いた技術が開示されている。ピアノハンドル式スイッチとは、操作ハンドルとして、ピアノタッチ操作によって押圧されるピアノハンドルが適用されているスイッチである。操作ハンドルは、スイッチ本体の端縁部から突出された支軸によって回動自在に支持され、スイッチ本体に組み込まれている押釦ハンドルに駆動力を伝達する。
【０００３】
また、特許文献２には、縦長形状の操作ハンドルの上下方向に長尺状に形成された点灯表示部にＬＥＤから出力された光を導光する縦長形状の導光体を備えたスイッチが開示されている。
【０００４】
上記特許文献１及び特許文献２に示されるように、この種のスイッチは、通常壁面などの造営面に取付枠を介して埋設されている。
【先行技術文献】
【特許文献】
【０００５】
【特許文献１】特開２００３−２７２４８１号公報
【特許文献２】特開２０１１−２４３２９５号公報
【発明の概要】
【発明が解決しようとする課題】
【０００６】
特許文献１に記載されたピアノハンドル式スイッチにおいて、押釦ハンドルは、支軸とは反対側の端縁部に形成されている。従って、負荷の動作状態を表示する表示用ＬＥＤ及びその出力光を表示する表示部は、押釦ハンドル及び押釦ハンドルによって駆動される反転ハンドル等との干渉を回避して、支軸の近傍に配設されている。操作ハンドルは、支軸を中心として回動する構造であるため、支軸から離れた場所すなわち操作ハンドルの先端領域に操作部が位置する。このため、表示用ＬＥＤの表示部から離れた場所に位置される操作部を操作する必要があり、直感的な操作が困難で使い勝手がよくなかった。特許文献２に開示されたスイッチにおいても同様である。
【０００７】
一方、支軸とは反対側の端縁部に表示用ＬＥＤを配設するために、押釦ハンドルを支軸に接近させて配設し、押釦ハンドルの往復ストロークを従来のスイッチと同等に確保した場合、操作ハンドルのストロークが大きくなり、操作性が悪化する。また、移動量が大きい操作部の近傍に表示用ＬＥＤが位置されるため、表示用ＬＥＤの出力光が操作ハンドルの周辺から漏れやすくなる。
【０００８】
本発明は、上記課題を解決するためになされたものであり、良好な操作性を維持しつつ、直感的な操作を可能として使い勝手を高めることができるスイッチを提供することを目的とする。
【課題を解決するための手段】
【０００９】
上記目的を達成するために本発明のスイッチは、ユーザによって操作される操作ハンドルと、前記操作ハンドルの変位に応じて負荷への給電を制御する開閉部と、負荷の動作状態を表示する表示用光源と、前記開閉部及び表示用光源を収容するスイッチ本体を備え、前記操作ハンドルは、表示用光源の側で前記スイッチ本体によって回動自在に支持され、前記表示用光源の出力光は、前記操作ハンドルにおいて前記表示用光源から離れた操作部の側で出射されるものである。
【００１０】
この発明において、前記操作ハンドルは、前記表示用光源の出力光を操作部の側に導く第１導光体を有することが好ましい。
【００１１】
この発明において、スイッチ本体は、前記表示用光源の出力光を前記第１導光体に導く第２導光体を有することが好ましい。
【００１２】
この発明において、前記第１導光体は、前記表示用光源の出力光が入射される第１入射部と、前記第１入射部から入射された出力光の向きを前記操作部の方向に変える第１反射部と、前記第１反射部によって反射された出力光を前記操作部の側まで導く第１導光部と、前記第１導光部によって導かれた出力光を出射する第１出射部を有し、前記第１導光部における前記スイッチの奥行き方向の厚み寸法は、前記第１入射部から前記第１反射部に至る部分の前記スイッチの奥行き方向の厚み寸法よりも小さいことが好ましい。
【００１３】
この発明において、前記表示用光源は、複数種類設けられていることが好ましい。
【００１４】
この発明において、前記複数種類の表示用光源は、底面の高さを揃えて実装され、前記第２導光体における前記表示用光源の出力光が入射される第２入射部は、各表示用光源の先端に対応して段違いに形成されていることが好ましい。
【００１５】
この発明において、前記第１反射部は、放物面であることが好ましい。
【００１６】
この発明において、前記第１反射部は、楕円面であることが好ましい。
【００１７】
この発明において、前記第１反射部は、前記複数種類の表示用光源のうち少なくともいずれかの光源の光軸上に配置されていることが好ましい。
【００１８】
この発明において、前記操作ハンドルは、前記出力光を所望の範囲に配光して出射する配光体をさらに有することが好ましい。
【００１９】
この発明において、前記配光体の表面には、プリズムが形成されていることが好ましい。
【００２０】
この発明において、前記配光体が、光拡散材を含有する透孔材料によって成ることが好ましい。
【発明の効果】
【００２１】
本発明のスイッチによれば、表示用光源の出力光は、操作ハンドルにおいて表示用光源から離れた操作部の側で出射されるので、良好な操作性を維持しつつ、直感的な操作を可能として使い勝手を高めることができる。
【図面の簡単な説明】
【００２２】
【図１】本発明の一実施形態によるスイッチを用いた照明システムの回路図。
【図２】同スイッチの構成を示す組立斜視図。
【図３】同スイッチの断面図。
【図４】同スイッチのスイッチ本体の構成を示す組立斜視図。
【図５】同スイッチに適用される第１導光体の構成を示す斜視図。
【図６】同スイッチに適用される第２導光体の構成を示す斜視図。
【図７】オン表示用ＬＥＤの出力光が第２導光体及び第１導光体を透過して配光体から出射される様子を示す平面図。
【図８】オフ表示用ＬＥＤの出力光が第２導光体及び第１導光体を透過して配光体から出射される様子を示す平面図。
【発明を実施するための形態】
【００２３】
本発明の一実施形態によるスイッチについて図面を参照して説明する。図１は同スイッチを用いた照明システムの回路構成を示す。スイッチ１は、白熱灯、蛍光灯又はＬＥＤ電球などの負荷Ｌと交流電源との間に直列接続され、負荷Ｌへの給電を制御する。スイッチ１は、開閉部２と、トランス３と、オン表示用ＬＥＤ（表示用光源）４と、ダイオード５と、抵抗６と、オフ表示用ＬＥＤ（表示用光源）７と、抵抗８、ダイオード９等を備える。
【００２４】
開閉部２は、負荷Ｌ、交流電源、トランス３の１次コイル３ａによって構成される回路に直列接続される。トランス３は、開閉部２の閉成時に１次コイル３ａに入力された交流電流によって励磁して、２次コイル３ｂから交流電流を出力する。オン表示用ＬＥＤ４は、２次コイル３ｂから給電を受けて発光し、負荷Ｌが動作中である旨を表示する。オン表示用ＬＥＤ４としては、例えば、赤色又は橙色のＬＥＤが適用される。ダイオード５は、交流電流に対応するようオン表示用ＬＥＤ４とは逆向きに並列接続される。抵抗６は、２次コイル３ｂとオン表示用ＬＥＤ４との間に直列接続され、オン表示用ＬＥＤ４に流れる電流を制限し、オン表示用ＬＥＤ４の明るさを調整する。オフ表示用ＬＥＤ７は、開閉部２に並列に接続され、開閉部２が開成したとき発光し、負荷Ｌが非動作中である旨を表示する。オフ表示用ＬＥＤ７としては、例えば、緑色又は青色のＬＥＤが適用される。抵抗８は、オフ表示用ＬＥＤ７に直列接続され、オフ表示用ＬＥＤ７に流れる電流を制限する。ダイオード９は、交流電流に対応するようオフ表示用ＬＥＤ７とは逆向きに並列接続される。
【００２５】
図２はスイッチ１の概略構成を示す。スイッチ１は、ピアノハンドル式スイッチと称され、ピアノタッチ操作によって開閉されるスイッチである。スイッチ１は、スイッチ本体１０と、操作ハンドル１１と、取付枠１２と、化粧プレート１３等によって構成される。操作ハンドル１１は、絶縁性を有する樹脂材料によって形成され、スイッチ本体１０の前面に装着され、ユーザによって操作される。取付枠１２は、例えば、金属板をプレス加工することにより形成され、造営面１００（図３参照）に装着される。取付枠１２の内側にはスイッチ本体１０が取り付けられ、スイッチ本体１０は取付枠１２によって支持される。図２は、２つのスイッチ本体１０及び操作ハンドル１１が取付枠１２に取り付けられた形態を示しているが、スイッチ本体１０及び操作ハンドル１１の個数は１つであっても３つ以上であってもよい。化粧プレート１３は、樹脂材料等により成形され、取付枠１２の前面に装着されてスイッチ１の前面、特に取付枠１２の周辺を装飾する。
【００２６】
図３はスイッチ１の断面を示す。スイッチ本体１０は、図１に示した開閉部２、トランス３、オン表示用ＬＥＤ４、ダイオード５、抵抗６、オフ表示用ＬＥＤ７、抵抗８、ダイオード９等を有する。本実施形態において、オン表示用ＬＥＤ４には砲弾型のＬＥＤが、オフ表示用ＬＥＤ７にはチップ型のＬＥＤが適用される。オン表示用ＬＥＤ４として適用される砲弾型のＬＥＤは、集光作用により光軸方向に強い光を照射でき、負荷Ｌとしての照明器具が点灯している状況（スイッチ１の周囲が明るい状況）においても、出力光を容易に視認可能である。一方、オフ表示用ＬＥＤ７は、負荷Ｌとしての照明器具が消灯している状況（スイッチ１の周囲が暗い状況）で出力光を視認できればよいため、チップ型のＬＥＤが用いられる。
【００２７】
また、スイッチ本体１０は、さらに端子板１４ａ，１４ｂ，１４ｃと、反転ハンドル１５と、押釦ハンドル１６と、回路基板１７と、外周ボディ１８と、カバー１９等を有する。端子板１４ａは、一端が交流電源とスイッチ１を接続する電線１０１と、他端が開閉部２とそれぞれ接続される。電線１０１の先端部は、ばね部材（図示せず）によって付勢され、電線１０１と端子板１４ａとの接続状態が保持される。端子板１４ｂは、一端がトランス３の１次コイル３ａと他端がスイッチ１と負荷Ｌを接続する電線１０２とそれぞれ接続される。電線１０２の先端部も、ばね部材（図示せず）によって付勢され、電線１０２と端子板１４ｂとの接続状態が保持される。端子板１４ｃは、一端がトランス３の１次コイル３ａと他端が開閉部２とそれぞれ接続される。トランス３は、開閉部２の近傍（電線１０１と電線１０２との間）に設けられていてもよい。
【００２８】
反転ハンドル１５は、外周ボディ１８によって回動自在に軸支され、押釦ハンドル１６から入力された往復方向の駆動力を回転方向の駆動力に変換して、開閉部２に伝達する。押釦ハンドル１６は、カバー１９によって往復自在に支持され、操作ハンドル１１から入力された駆動力を反転ハンドル１５に伝達する。
【００２９】
プリント回路基板１７は、オン表示用ＬＥＤ４、ダイオード５、抵抗６、オフ表示用ＬＥＤ７、抵抗８等を搭載する。プリント回路基板１７に替えて、上記各部品を接続する金属板（リード）をインサート成形したマウント部材であってもよい。この場合、マウント部材は、絶縁性を有する樹脂材料によってブロック状に形成される。オン表示用ＬＥＤ４、オフ表示用ＬＥＤ７は、スイッチ１の前面側に配設される。プリント回路基板１７に実装されるオン表示用ＬＥＤ４、オフ表示用ＬＥＤ７は、それぞれの底面の高さを揃えて基板の表面に載置される。ブロック状のマウント部材が用いられる場合も同様である。オン表示用ＬＥＤ４及びオフ表示用ＬＥＤ７から出力される光は、後述する第１導光体４１、第２導光体４２、配光体４３等を透過してスイッチ１の外部から視認され、負荷Ｌの動作を確認できる。オン表示用ＬＥＤ４及びオフ表示用ＬＥＤ７は、樹脂材料等の絶縁体から成るマウント部材に実装されていてもよい。
【００３０】
外周ボディ１８は、絶縁性を有する樹脂材料によって形成され、開閉部２、トランス３、端子板１４ａ，１４ｂ，１４ｃ、反転ハンドル１５、回路基板１７を収容し、スイッチ本体１０の外周を区画する。カバー１９は、絶縁性を有する樹脂材料によって形成され、外周ボディ１８の前面の開口に装着される。
【００３１】
図３においては、開閉部２の閉成状態は実線にて示され、開閉部２の開成状態は破線にて示される。開閉部２は、可動板２１と可動接点２２、固定接点２３等によって構成される。可動板２１は、外周ボディ１８に回動自在に収容され、端子板１４ａと電気的に接続される。可動接点２２は、可動板２１の先端側に形成される。固定接点２３は、端子板１４ｃにおいて、可動接点２２と対向して形成される。反転ハンドル１５の先端と可動板２１の先端とは係合され、反転ハンドル１５の回動に連動して可動板２１が回動し、開閉部２が開閉する。
【００３２】
ユーザによって操作ハンドル１１が押圧操作されるたびに、その駆動力が押釦ハンドル１６、反転ハンドル１５に順次伝達され、可動板２１が駆動されて開閉部２が閉開する。その一連動作は、特許文献１等に示されたスイッチと同様であるため、その説明は省略する。
【００３３】
スイッチ１は、オン表示用ＬＥＤ４又はオフ表示用ＬＥＤ７の出力光をスイッチ１の外部に出射するための構成として、第１導光体４１、第２導光体４２及び配光体４３を有する。開閉部２の開閉に伴い、オン表示用ＬＥＤ４又はオフ表示用ＬＥＤ７が発光すると、その出力光は、第２導光体４２及び第１導光体４１を順次透過して、配光体４３から出射される。
【００３４】
図４は、スイッチ本体１０と、スイッチ本体１０の前面に装着される操作ハンドル１１を示す。スイッチ本体１０の筐体は、外周ボディ１８と、カバー１９等によって構成される。外周ボディ１８は、図３に示すように、開閉部２、トランス３、端子板１４ａ，１４ｂ，１４ｃ、反転ハンドル１５、回路基板１７及び第２導光体４２等のスイッチ１を構成する主要な部品を収容する。第２導光体４２は、透孔性を有する樹脂材料等によって形成され、オン表示用ＬＥＤ４及びオフ表示用ＬＥＤ７の出力光を第１導光体４１に導く。第２導光体４２は、カバー１９の前面に形成されている貫通穴１９ｂに嵌合される。カバー１９には、押釦ハンドル１６が組み込まれる。押釦ハンドル１６は、操作ハンドル１１の操作部１１ｃの側、すなわち、軸受け部１１ｂから離れた側に配設される。このため、操作ハンドル１１のストロークを適正値に設定することができ、良好な操作性が得られる。
【００３５】
カバー１９は、支軸１９ａと、貫通穴１９ｂを有する。支軸１９ａは、第２導光体４２の近傍でカバー１９の端縁に形成され、操作ハンドル１１の軸受け部１１ｂと嵌合し、操作ハンドル１１を回動自在に支持する。貫通穴１９ｂは、支軸１９ａの近傍でカバー１９の前壁面を貫通する。貫通穴１９ｂには、第２導光体４２が嵌合され、オン表示用ＬＥＤ４及びオフ表示用ＬＥＤ７の出力光が出射される。
【００３６】
操作ハンドル１１は、表示部１１ａと、軸受け部１１ｂ、操作部１１ｃと、第１導光体４１と、配光体４３を有する。表示部１１ａは、軸受け部１１ｂから離れた操作部１１ｃの側に形成される。ここで、軸受け部１１ｂから離れた側とは、軸受け部１１ｂを操作ハンドル１１の基端とすると、操作ハンドル１１の中心部よりも先端の側であり、必ずしも操作ハンドル１１の端縁部である必要はない。表示部１１ａに形成されている貫通穴に配光体４３が嵌合され、配光体４３からオン表示用ＬＥＤ４及びオフ表示用ＬＥＤ７の出力光が出射される。軸受け部１１ｂは、支軸１９ａに対応して操作ハンドル１１の背面の端縁近傍において、第１導光体４１を挟んで１対形成される。軸受け部１１ｂが支軸１９ａに嵌合されることにより、スイッチ本体１０によって操作ハンドル１１が回動自在に支持される。操作部１１ｃは、ユーザによって押圧操作される部分であり、軸受け部１１ｂから離れた側に設けられる。すなわち、操作部１１ｃを構成する領域の一部に形成されている表示部１１ａの貫通穴に配光体４３が嵌合される。第１導光体４１は、例えば、超音波溶着などの熱溶着によって操作ハンドル１１に接合される。これにより、両者を接合するための固定部材が不要となり、スイッチ１の構成を簡素化できる。第１導光体４１及び配光体４３は、操作ハンドル１１に設けられているので、操作ハンドル１１の回動に伴い、一体的に回動する。
【００３７】
第１導光体４１は、透孔性を有する樹脂材料等によって形成され、操作ハンドル１１の背面に組み込まれる。第１導光体４１は、第２導光体４２から出射されたオン表示用ＬＥＤ４及びオフ表示用ＬＥＤ７の出力光を導光する軸受け部１１ｂから離れた側、すなわち操作部１１ｃの側に配設された配光体４３に導く。
【００３８】
配光体４３は、第１導光体４１によって導かれたオン表示用ＬＥＤ４及びオフ表示用ＬＥＤ７の出力光を所望の範囲に配光して出射する。操作部１１ｃを構成する領域に配光体４３が設けられているので、ユーザは配光体４３から出射されたオン表示用ＬＥＤ４及びオフ表示用ＬＥＤ７の出力光をよりどころとして操作部１１ｃを操作することができる。例えば、暗闇の中でもオフ表示用ＬＥＤ７の出力光を頼りにすれば、容易に操作部１１ｃを操作することができる。
【００３９】
図５は、第１導光体４１を示す。第１導光体４１は、第１入射部４１ａと、第１反射部４１ｂと、第１導光部４１ｃと、第２反射部４１ｄと、第１出射部４１ｅを有する。第１入射部４１ａは、第１導光体４１の一端に設けられ、第２導光体４２から出射されたオン表示用ＬＥＤ４及びオフ表示用ＬＥＤ７の出力光が入射される。第１反射部４１ｂは、第１入射部４１ａと第１導光部４１ｃとの間に設けられ、第１入射部４１ａから入射された出力光を反射して、光の向きを第１導光部４１ｃすなわち操作部１１ｃの方向に変える。第１導光部４１ｃは、第１反射部４１ｂと第２反射部４１ｄとの間に設けられ、第１反射部４１ｂによって反射された出力光を操作部１１ｃの側に配設されている第２反射部４１ｄまで導く。第２反射部４１ｄは、第１導光部４１ｃと第１出射部４１ｅとの間に設けられ、第１導光部４１ｃから導かれた出力光を反射して、光の向きを第１出射部４１ｅの方向に変える。第１出射部４１ｅは、第１導光体４１の他端に設けられ、第２反射部４１ｄによって反射された出力光を出射する。
【００４０】
第１導光体４１は、操作ハンドル１１がスイッチ本体１０に装着されたとき、第１入射部４１ａと第２導光体４２の第２出射部４２ｃとが対向するように、操作ハンドル１１に組み込まれる。第１導光部４１ｃにおけるスイッチ１の奥行き方向の厚み寸法Ｔ１は、第１入射部４１ａから第１反射部４１ｂに至る部分のスイッチ１の奥行き方向の厚み寸法Ｔ２よりも小さく設定されている。これにより、操作ハンドル１１と押釦ハンドル１６との隙間に、第１導光部４１ｃを配置でき、操作ハンドル１１が操作されたとき、第１導光部４１ｃがカバー１９等と干渉して操作ハンドル１１の回動を妨げることが防止される。なお、第１導光部４１ｃを介して操作ハンドル１１の操作部１１ｃに付与された駆動力を押釦ハンドル１６に伝達する構成としてもよい。また、第１導光体４１の第１入射部４１ａを第２導光体４２の第２出射部４２ｃに接近させることにより、第２出射部４２ｃから出射された光を効率よく第１入射部４１ａに入射させることができる。また、第２出射部４２ｃから出射された光が操作ハンドル１１の周辺から漏れることを抑制できる。
【００４１】
図６は、第２導光体４２を示す。第２導光体４２は、第２入射部４２ａと、第２導光部４２ｂと、第２出射部４２ｃを有する。第２入射部４２ａは、先端部の高さの異なるオン表示用ＬＥＤ４（砲弾型ＬＥＤ）及びオフ表示用ＬＥＤ７（チップ型ＬＥＤ）に対応させて段違い（階段状）に形成されている。これにより、第２導光体４２の第２入射部４２ａをオン表示用ＬＥＤ４及びオフ表示用ＬＥＤ７の出射部に接近させて、光源から出射された光を効率よく第２入射部４２ａに入射させることができる。
【００４２】
また、第１導光体４１の第１反射部４１ｂは、複数の表示用光源のうちいずれかの光源（例えば、オン表示用ＬＥＤ４）の光軸上に配置されている。一方、第１反射部４１ｂはオフ表示用ＬＥＤ７の光軸上に配置されていない。これにより、オン表示用ＬＥＤ４の出力光を明るく、オフ表示用ＬＥＤ７の出力光をほんのりとやわらかく表示することができる。第１反射部４１ｂをオフ表示用ＬＥＤ７の光軸上に配置することにより、オフ表示用ＬＥＤ７も明るく表示することができる。
【００４３】
第１導光体４１の第１入射部４１ａが第２導光体４２の第２出射部４２ｃと干渉して操作ハンドル１１の回動を妨げないように、第１入射部４１ａと第２出射部４２ｃとは所定の間隔を隔てて配設されている。本実施形態では、操作ハンドル１１の回動中心となる支軸１９ａの近傍に第１入射部４１ａが位置されるので、操作ハンドル１１の回動に伴う第１入射部４１ａの移動が抑制される。従って、第１入射部４１ａと第２出射部４２ｃとの干渉が発生しにくくなり、第１入射部４１ａと第２出射部４２ｃとの間隔を小さく設定して、第２出射部４２ｃから出射された光を効率よく第１入射部４１ａに入射させることができる。
【００４４】
図７は、オン表示用ＬＥＤ４の出力光が第２導光体４２及び第１導光体４１によって導かれ、配光体４３から出射される様子を示している。また、図８は、オフ表示用ＬＥＤ７の出力光が第２導光体４２及び第１導光体４１によって導かれ、配光体４３から出射される様子を示している。オン表示用ＬＥＤ４及びオフ表示用ＬＥＤ７の出力光は、第２導光体４２の端面によって適宜反射されながら、第１導光体４１に入射する。第１導光体４１に入射した出力光は、第１反射部４１ｂ及び第２反射部４１ｄの他第１導光部４１ｃの端面によって適宜反射されながら、配光体４３に入射する。
【００４５】
第１導光体４１の第１反射部４１ｂは、放物面又は楕円面によって構成されている。第１反射部４１ｂが放物面によって構成されている形態によれば、複数の光源から出射された出力光を効率よく反射して、第１導光部４１ｃに導くことができる。また、第１反射部４１ｂが楕円面によって構成されている形態によれば、複数の光源のうち、一方の光源から出射された出力光を特に効率よく反射して、第１導光部４１ｃに導くことができる。
【００４６】
また、配光体４３の表面には、プリズムが形成されている。これにより、配光体４３を透過する光量を低下させることなく、配光体４３の外側からスイッチ１の内部構造が見えにくくなる。また、配光体４３は、例えば、光拡散材を含有する透孔材料によって構成される。これにより、配光体４３の外側からスイッチ１の内部構造が見えにくくなる。また、オン表示用ＬＥＤ４及びオフ表示用ＬＥＤ７の出力光が配光体４３を透過する際に、光拡散材によって拡散され、均一でぼんやりとしたやわらかい光を出射できるようになる。
【００４７】
以上のような構成を有する本実施形態のスイッチ１によれば、オン表示用ＬＥＤ４及びオフ表示用ＬＥＤ７の出力光は、操作ハンドル１１において光源から離れた操作部１１ｃの側で出射される。これにより、良好な操作性を維持しつつ、直感的な操作を可能として使い勝手を高めることができる。また、移動量の大きい操作部１１ｃから離れた位置にオン表示用ＬＥＤ４及びオフ表示用ＬＥＤ７が配置されているので、操作ハンドル１１の周辺からオン表示用ＬＥＤ４及びオフ表示用ＬＥＤ７の出力光が漏れることが抑制される。
【００４８】
また、操作ハンドル１１が、オン表示用ＬＥＤ４及びオフ表示用ＬＥＤ７の出力光を操作部１１ｃの側に導く第１導光体４１を有するので、簡素な構成でありながら、負荷Ｌの動作状態を光源から離れた操作部１１ｃの側で表示できる。
【００４９】
回動する第１導光体４１と光源であるオン表示用ＬＥＤ４及びオフ表示用ＬＥＤ７との間に第２導光体４２が設けられているので、光源の出力光を効率よく第１導光体４１に導くことができる。
【００５０】
第１導光体４１は、第１入射部４１ａと、第１反射部４１ｂと、第１導光部４１ｃと、第１出射部４１ｅを有するので、簡素な構成で、光源の出力光の向きを変えながら第１出射部４１ｅに導くことができる。また、第１導光部４１ｃの厚み寸法Ｔ１が、第１入射部４１ａから第１反射部４１ｂに至る部分の厚み寸法Ｔ２よりも小さいので、第１導光部４１ｃがスイッチ本体１０等と干渉して操作ハンドル１１の回動を妨げることが防止される。
【００５１】
表示用光源として、複数種類のＬＥＤ４，７が設けられているので、負荷Ｌの動作状態に応じて、表示部の表示を切り替えることができ、スイッチ１の使い勝手が高められる。
【００５２】
また、複数種類のＬＥＤ４，７が、回路基板１７にそれぞれ実装されているので、簡素な構成で容易にＬＥＤ４，７を実装でき、スイッチ１のコストダウンを図ることができる。また、第２導光体４２における第２入射部４２ａは、各ＬＥＤ４，７の先端に対応して段違いに形成されているので、第２入射部４２ａを各ＬＥＤ４，７の出射部に接近させて、光源から出射された光を効率よく第２入射部４２ａに入射させることができる。
【００５３】
また、第１導光体４１の第１反射部４１ｂは、放物面又は楕円面によって構成されているので、複数の光源から出射された出力光又は一方の光源から出射された出力光を効率よく反射して、第１導光部４１ｃに導くことができる。
【００５４】
また、第１導光体４１の第１反射部４１ｂは、オン表示用ＬＥＤ４の光軸上に配置されているので、オン表示用ＬＥＤ４の出力光を明るく表示することができる。一方、第１反射部４１ｂはオフ表示用ＬＥＤ７の光軸上に配置されていないので、オフ表示用ＬＥＤ７の出力光をほんのりとやわらかく表示することができる。このように、いずれかの光源の光軸上に第１反射部４１ｂを配置することにより、その光源の出力光を明るく表示することができる。また、オフ表示用ＬＥＤ７の光軸上にも第１反射部４１ｂを配置することにより、オフ表示用ＬＥＤ７も明るく表示することができる。
【００５５】
また、操作ハンドル１１が、配光体４３を有するので、ＬＥＤ４，７の出力光を所望の範囲に配光して出射することができ、スイッチ１の使い勝手が高められる。また、配光体４３の表面には、プリズムが形成されているので、配光体４３を透過する光量を低下させることなく、配光体４３の外側からスイッチ１の内部構造が見えにくくなり、スイッチ１の商品価値が高まる。また、配光体４３は、光拡散材を含有する透孔材料によって構成されているので、配光体４３の外側からスイッチ１の内部構造が見えにくくなる。また、ＬＥＤ４，７の出力光が配光体４３を透過する際に、光拡散材によって拡散され、均一でぼんやりとしたやわらかい光を出射できるようになり、スイッチ１の商品価値が高まる。
【００５６】
なお、本発明は上記実施形態の構成に限られることはない。少なくとも操作ハンドル１１が、ＬＥＤ４，７の側でスイッチ本体１０によって回動自在に支持され、ＬＥＤ４，７の出力光は、操作ハンドル１１においてＬＥＤ４，７から離れた操作部１１ｃの側で出射されるように構成されていればよい。
【００５７】
また、本発明は種々の変形が可能である。例えば、表示用光源として用いられるオン表示用ＬＥＤ４及びオフ表示用ＬＥＤ７は、砲弾型及びチップ型のＬＥＤに限られず、他の形態のＬＥＤであってもよい。さらに、この表示用光源は、ＬＥＤに限られず、ネオンランプ、有機ＥＬ（Electro-Luminescence）等の光源であってもよい。
【００５８】
また、表示用光源が第１導光体４１の第１入射部４１ａに対向するように近接配置されて、第２導光体４２が廃されていてもよい。また、第１導光体４１と配光体４３が一体に形成されていてもよい。
【００５９】
また、負荷Ｌは、白熱灯、蛍光灯又はＬＥＤ電球などの照明器具に限られず、他の電気器具であってもよい。また、スイッチ本体１０は、外周ボディ１８と、カバー１９によって構成される形態に限られず、他の部品によって置換された形態又は他の部品を追加した形態であってもよい。
【符号の説明】
【００６０】
１    スイッチ
２    開閉部
４    オン表示用ＬＥＤ（表示用光源）
７    オフ表示用ＬＥＤ（表示用光源）
１０    スイッチ本体
１１    操作ハンドル
１１ｃ    操作部
４１    第１導光体
４１ａ    第１入射部
４１ｂ    第１反射部
４１ｃ    第１導光部
４１ｅ    第１出射部
４２    第２導光体
４２ａ    第２入射部
４３    配光体
Ｌ    負荷
【図１】
2014071984.tif 000003
【図２】
2014071984.tif 000004
【図３】
2014071984.tif 000005
【図４】
2014071984.tif 000006
【図５】
2014071984.tif 000007
【図６】
2014071984.tif 000008
【図７】
2014071984.tif 000009
【図８】
2014071984.tif 000010